(57)【要約】      （修正有）【課題】本考案は普通ですと観賞用魚水槽はテレビの側とか出窓とか玄関の下駄箱の上とかに置きますが、その様な場所でもその水槽に「ししおとし」をセットし、一つのインテリアとして楽しむものである。【解決手段】普通ですと観賞用魚水槽の水は水槽本体１より水汲み上げポンプ２によって水汲み上げパイプ３から直接水浄化槽８に流れ込みそこで浄化され水槽本体１に戻ってきます。本考案はその水の流れの作用を利用して、水槽本体１の水を水汲み上げポンプ２の力を利用して水浄化槽８の高さより約２０ｃｍ位高く汲み上げ一時水溜め筒４に溜め溜まった水を注ぎ口５よりししおとし本体６の「ししおとし」に入りその水の力で「ししおとし」が下がり水浄化槽８を通過し水が浄化され元の水槽本体１に戻される。【選択図】図１
0003104998.tif 000002
【実用新案登録請求の範囲】
【請求項１】
観賞用魚水槽の、水ろ過の、水の流れの力を利用して「ししおとし」を作動させ室内インテリアとして魚の観賞と、「ししおとし」を楽しむもの。
【考案の詳細な説明】
【技術分野】
【０００１】    本考案は、一般家庭用の観賞用水槽（一般に６０センチ用）に庭園及び一般家庭の庭に設置する「ししおとし」を合せたものである。
【背景技術】
【０００２】    一般家庭（一戸建て、アパートに関らず）魚観賞用水槽は水をろ過しながら部屋の見やすい所に置き金魚、又は熱帯魚をし、ししおとし、に関しては、お屋敷の庭に池を造り又は小川を造り、そこに「ししおとし」を設置し飽く迄も屋外で楽しむものである。
【考案の開示】
【考案が解決しようとする課題】
【０００３】    マンション、又は、アパート暮らしが多くなって来ている昨今、観賞用魚だけでしたら部屋の片隅に金魚鉢を置いて魚を観賞できます、しかし「ししおとし」は小川、堀、滝、の設備が必要になってきます、これを部屋の中で解決しようとするものです。
【問題を解決するための手段】
【０００４】    本考案は、従来は観賞用魚水槽の水ろ過機は水槽の中の水を吸い上げろ過装置を通り水をきれいにし元の水槽に戻すだけだがその過程に「ししおとし」を設置し、家庭内において庭にある「ししおとし」を楽しむものです。
【考案の効果】
【０００５】  本考案は、庭を持たない、又箱庭も作れない家庭が家の中で日本的「ししおとし」を家の中に造り同時に金魚及び魚を観賞できる。
【考案を実施するための最良の形態】
【０００６】  観賞用魚水槽の水浄化機の水を約２０ｃｍ位吸い上げ一時別の筒に溜め、筒の上部より少量づつ「ししおとし」に水をそそぎ「ししおとし」を作動させる。
【実施例】
【０００７】  以下、添付図面に従って実施例を説明します。水槽の水浄化の水吸い上げは図１及び図３の８の上部までですが、図１の２により１の水を３により約２０ｃｍ位汲み上げ４の筒に水を溜め筒の上部まで溜まった水が図１、図２、図３、の５の注ぎ口より定量の水が６の「ししおとし」に入り一定の秒数で「ししおとし」が作動し水は８を通り１に戻る、又余分の水は７の水量調整弁にて調整でき余分な水も８を通り１に戻る、よって１の中の水浄化には何ら影響はない。【０００８】  本考案の実施例は上述の構成からなるものであるが、「ししおとし」の設置の手前に照明用の蛍光灯を置き、その上に小さな鉢物を置けば尚一層のインテリアの効果があるのではないかと思う
【図面の簡単な説明】
【０００９】
【図１】  本考案の「ししおとし」付水浄化槽の正面図である。
【図２】  本考案の「ししおとし」付水浄化槽の平面図である。
【図３】  本考案の「ししおとし」付水浄化槽の右側面図である。
【符号の説明】
【００１０】  １  水槽本体
２  水汲み上げポンプ
３  水汲み上げパイプ
４  一時水を溜める筒
５  水を溜める筒よりししおとしに水を注ぐ注ぎ口
６  ししおとし本体
７  水を溜める筒の水量を調節する調整弁
８  水浄化槽
【図１】
0003104998.tif 000003
【図２】
0003104998.tif 000004
【図３】
0003104998.tif 000005
【手続補正書】
【提出日】平成16年6月25日(2004.6.25)
【手続補正１】
【補正対象書類名】実用新案登録請求の範囲
【補正対象項目名】全文
【補正方法】変更
【補正の内容】
【実用新案登録請求の範囲】
【請求項１】
魚観賞用水槽と、
該水槽の上部に配置した水浄化槽と、
上記水槽の上部側に配置し、該水槽から汲み上げた水を一時溜め置いて、その上部より少量づつ放出させる溜め筒と、
上記水槽の上部側に配置し、上記溜め筒の上部から放出させた水を注いで作動させるししおどしと、
から成り、
ししおどし作動によりししおどし本体から排出された水を、上記水浄化槽でろ過して水槽内に戻すようにしたことを特徴とするししおどし付魚観賞用水槽。
【手続補正２】
【補正対象書類名】明細書
【補正対象項目名】全文
【補正方法】変更
【補正の内容】
【考案の詳細な説明】
【技術分野】
【０００１】
本考案は、一般家庭用の魚観賞用水槽（一般に６０センチ用）に庭園及び一般家庭の庭に設置するししおどしを合せたものである。
【背景技術】
【０００２】
魚観賞用水槽は、金魚又は熱帯魚を収納してその内部の水をろ過するものであり、一般家庭（一戸建て、アパートに関らず）においては部屋内部の見やすい所に設置されるものである。
一方、ししおどしに関しては、お屋敷の庭に池を造り又は小川を造り、そこに設置する、飽く迄も屋外で楽しむものである。
【考案の開示】
【考案が解決しようとする課題】
【０００３】
マンション、又は、アパート暮らしが多くなって来ている昨今、魚を鑑賞するだけなら部屋の片隅に金魚鉢を置いて観賞することができる。しかし、ししおどしの設置には小川、堀、滝の設備が必要となる。
本考案の解決しようとする課題は、このししおどしを部屋の中に設置して楽しむことにある。
【課題を解決するための手段】
【０００４】
本考案は、魚観賞用水槽と、該水槽の上部に配置した水浄化槽と、上記水槽の上部側に配置し、該水槽から汲み上げた水を一時溜め置いて、その上部より少量づつ放出させる溜め筒と、上記水槽の上部側に配置し、上記溜め筒の上部から放出させた水を注いで作動させるししおどしと、から成り、ししおどし作動によりししおどし本体から排出された水を、上記水浄化槽でろ過して水槽内に戻すようにしたことを特徴としている。
【考案の効果】
【０００５】
本考案は、上述したように、言わば、魚観賞用水槽に付属するろ過装置のろ過過程にししおどしを配置した構成としているため、庭を持たない又箱庭も作れない家庭が家の中でも、家の中に日本的ししおどしを設置し楽しむことができ、同時に金魚及び魚を観賞できる。
【考案を実施するための最良の形態】
【０００６】
以下、添付図面に従い本考案にかかるししおどし付魚観賞用水槽の実施例について説明する。
【実施例】
【０００７】
図１は本考案のししおどし付魚観賞用水槽の正面図であり、図２は本考案のししおどし付魚鑑賞用水槽の平面図であり、図３は本考案のししおどし付魚鑑賞用水槽の右側面図である。
本考案のししおどし付魚鑑賞用水槽は、主に、魚鑑賞用の水槽１の上部側にろ過装置を配置すると共に、そのろ過過程にししおどし６を配置した構成である。
ろ過装置は、水槽１からの水汲み上げ用のポンプ２と、水汲み上げ用のパイプ３と、パイプ３を介して汲み上げた水を一時的に溜める溜め筒４と、水槽１と連通する水浄化槽８と、から構成している。また、溜め筒４には水をししおどし６に放出する注ぎ口５と、放出する水量を調節する調整弁７が配設してある。
以上のように構成したししおどし付魚観賞用水槽は以下のように作用する。
先ず、ポンプ２を稼働させて、水槽１の水を、パイプ３を介して溜め筒４に溜めおく。そして、溜め筒４の上部にまで溜まった水は注ぎ口５を介してししおどし６に注がれ、ししおどし６が一定の秒数で作動する。ししおどし６の作動により下方へ落下した水は水浄化槽８を通りろ過され水槽１に戻ることとなる。このろ過過程においては、水槽１の中の水浄化には何らの影響もない。なお、溜め筒４の余分な水は調整弁７により調整され、同様に水浄化槽８を通り水槽１に戻る。
【０００８】
本考案の実施例は上述の構成からなるものであるが、ししおどしの設置の手前に照明用の蛍光灯を置き、その上に小さな鉢物を置くことも可能である。その構成では、尚一層のインテリアとしての効果を奏する。
【図面の簡単な説明】
【０００９】
【図１】本考案のししおどし付魚観賞用水槽の正面図である。
【図２】本考案のししおどし付魚鑑賞用水槽の平面図である。
【図３】本考案のししおどし付魚鑑賞用水槽の右側面図である。
【符号の説明】
【００１０】
１  水槽
２  ポンプ
３  パイプ
４  溜め筒
５  注ぎ口
６  ししおどし
７  調整弁
８  水浄化槽